(57)【要約】【課題】本発明は、支台歯模型保持具に関するもので、支台歯模型の破損リスクを低減することを目的とするものである。【解決手段】そしてこの目的を達成するために本発明は、取付台４と、この取付台４に配置した取付球体１２と、この取付球体１２を挟んだ取付板１３、１４と、取付板１５と、取付板１６とを備え、前記取付板１３、１４間には、前記取付球体１２に対する挟持力を調整する挟持力調整ネジ２２を設け、前記取付板１４、１５間で、挟部２８を構成し、前記取付板１５、１６間には、この取付板１５を、前記取付板１４方向に付勢するコイルバネ３８を設け、前記取付板１４、１６を一体化するとともに、前記取付板１５の前記取付板１３側には、前記取付板１５を取付板１６側に押開く押開取手３３を設け、この押開取手３３は前記取付板１５に一体化した。【選択図】図４
2012075693.tif 000002
【特許請求の範囲】
【請求項１】
取付台と、この取付台の中央部から上方に立設配置した取付球体と、
この取付球体を挟んで対向立設配置させた第１、第２の取付板と、
前記第２の取付板の前記第１の取付板とは反対側に設けた第３の取付板と、
この第３の取付板の前記第２の取付板とは反対側に設けた第４の取付板とを備え、
前記第１、第２の取付板には、前記取付球体に対する挟持力を調整する調整機構を設け、前記第２、第３の取付板間で、挟部を構成し、前記第３、第４の取付板間には、この第３の取付板を、前記第２の取付板方向に付勢する付勢体を設け、前記第２、第４の取付板を一体化するとともに、前記第３の取付板の前記第１の取付板側には、前記第３の取付板を第４の取付板側に押開く押開取手を設け、
この押開取手は前記第３の取付板に一体化した支台歯模型保持具。
【請求項２】
取付台は、取付盤上に配置する構成とし、前記取付盤には、取付台の取付指示マークを設けた請求項１に記載の支台歯模型保持具。
【請求項３】
第２の取付板の第３の取付板側に、第３の取付板を貫通する支柱を設け、この支柱の先端側に第４の取付板を設けた請求項１または２に記載の支台歯模型保持具。
【請求項４】
第２の取付板の支柱の貫通部には、この支柱の貫通部の外形よりも大きな開口径を有する貫通孔を設けた請求項３に記載の支台歯模型保持具。
【請求項５】
第３の取付板の第２の取付板側に、第２の取付板を貫通する支柱を設け、この支柱の先端側に押開取手を設けた請求項１から４のいずれか一つに記載の支台歯模型保持具。
【請求項６】
第３の取付板の支柱の貫通部には、この支柱の貫通部の外径よりも大きな開口径を有する貫通孔を設けた請求項５に記載の支台歯模型保持具。
【請求項７】
第２の取付板の第１の取付板側を覆う第１のカバーと、第３の取付板の第４の取付板側を覆う第２のカバーとを設けた請求項１から６のいずれか一つに記載の支台歯模型保持具。
【発明の詳細な説明】
【技術分野】
【０００１】
本発明は、支台歯模型の保持具に関するものである。
【背景技術】
【０００２】
従来の支台歯模型の保持具の構成は、以下のような構成となっていた。
【０００３】
すなわち、上面が開口した容器に粘着性材料を充填した構成となっていた。そして、この保持具に支台歯模型をセットする時には、支台歯模型の上部方向から、たとえば親指と人差指の２本の指を使って、支台歯模型中部の両側面をつまみ、その状態で、支台歯模型の底部を容器内の粘着性材料表面に当接させ、その後、この粘着性材料に支台歯模型の底部を押し込んで固定する構成となっていた。
【０００４】
そして、支台歯模型が固定された容器を、三次元測定器にセットした後、支台歯模型の三次元測定を実施し、その三次元測定のデータから義歯を設計していく構成となっていた（例えば下記特許文献１）。
【先行技術文献】
【特許文献】
【０００５】
【特許文献１】特開２００８−８６４６７号公報
【発明の概要】
【発明が解決しようとする課題】
【０００６】
上記従来例における課題は、誤って支台歯模型を破損させてしまうことがある、ことであった。
【０００７】
すなわち、支台歯模型を保持具にセットする時には、上述したごとく、支台歯模型の上部方向から、たとえば親指と人差指の２本の指を使って、支台歯模型中部の両側面をつまみ、その状態で、支台歯模型の底部を、容器内の粘着性材料表面に当接させ、その後、この粘着性材料に支台歯模型の底部を押し込んで固定する。
【０００８】
この押し込み時には、親指と人差指の２本の指に、力が入る事になるのであるが、この２本の指が、誤って支台歯模型の上部に接触してしまうことがある。
【０００９】
この支台歯模型の上部には、義歯の設計に重要なマージンライン（義歯と歯肉の接合線）が形成されており、また、この支台歯模型は、たとえば石膏で作成されている。そのため、このマージンラインに指が接触することによって、脆い石膏で形成されたマージンラインを破損させてしまうことがあった。
【００１０】
そこで本発明は、支台歯模型の破損リスクを低減することを目的とするものである。
【課題を解決するための手段】
【００１１】
そして、この目的を達成するために本発明は、取付台と、この取付台の中央部から上方に立設配置した取付球体と、この取付球体を挟んで対向立設配置させた第１、第２の取付板と、前記第２の取付板の前記第１の取付板とは反対側に設けた第３の取付板と、この第３の取付板の前記第２の取付板とは反対側に設けた第４の取付板とを備え、前記第１、第２の取付板には、前記取付球体に対する挟持力を調整する調整機構を設け、前記第２、第３の取付板間で、挟部を構成し、前記第３、第４の取付板間には、この第３の取付板を、前記第２の取付板方向に付勢する付勢体を設け、前記第２、第４の取付板を一体化するとともに、前記第２の取付板の前記第１の取付板側には、前記第３の取付板を第４の取付板側に押開く押開取手を設け、この押開取手は前記第３の取付板に一体化した構成とし、これにより所期の目的を達成するものである。
【発明の効果】
【００１２】
以上のように本発明は、取付台と、この取付台の中央部から上方に立設配置した取付球体と、この取付球体を挟んで対向立設配置させた第１、第２の取付板と、前記第２の取付板の前記第１の取付板とは反対側に設けた第３の取付板と、この第３の取付板の前記第２の取付板とは反対側に設けた第４の取付板とを備え、前記第１、第２の取付板には、前記取付球体に対する挟持力を調整する調整機構を設け、前記第２、第３の取付板間で、挟部を構成し、前記第３、第４の取付板間には、この第３の取付板を、前記第２の取付板方向に付勢する付勢体を設け、前記第２、第４の取付板を一体化するとともに、前記第２の取付板の前記第１の取付板側には、前記第３の取付板を第４の取付板側に押開く押開取手を設け、この押開取手は前記第３の取付板に一体化した構成としたものであるので、支台歯模型の破損リスクを低減することができる。
【００１３】
すなわち、本発明においては、取付台上の取付球体を第１、第２の取付板で挟み込んで第２の取付板を安定させており、この安定した第２の取付板に対して、この第２の取付板と第３の取付板とにより挟部を形成したものとなっている。そして、この挟部は、押開取手を操作して開くことが出来るので、この開いた挟部に支台歯模型を差し込み、その後、押開取手を放すと、第３、第４の取付板間に設けられた付勢体によって、第３の取付板が挟部方向に動き、この挟部が閉じられて、支台歯模型が挟部に固定されることとなる。
【００１４】
よって、支台歯模型に力を加えることなく、支台歯模型を保持具にセットすることができるものとなり、誤って支台歯模型のマージンラインに、指が接触することもなくなる。
【００１５】
その結果として、支台歯模型の破損リスクを低減することができるものとなる。
【図面の簡単な説明】
【００１６】
【図１】本発明の一実施形態における斜視図
【図２】本発明の一実施形態で使用する支台歯模型の斜視図
【図３】本発明の一実施形態で使用する測定装置の斜視図
【図４】本発明の一実施形態における正面図
【図５】その分解斜視図
【図６】その分解斜視図
【図７】その断面図
【図８】その要部断面図
【図９】その使用時の断面図
【図１０】その斜視図
【図１１】その使用時の正面図
【発明を実施するための形態】
【００１７】
以下、本発明の一実施形態を添付図面を用いて説明する。
【００１８】
図１において、１は支台歯模型を保持する保持具本体で、測定者によって、図２に示す支台歯模型２が、図３に示すごとく、保持具本体１の上部にセットされた状態で、測定装置３に取りつけられ、その上部に設けられた測定部３Ａから測定光が照射され、支台歯模型２の形状測定が行われる。
【００１９】
図１に戻って説明を続けると、保持具本体１の下部には、取付台４が設けられており、この取付台４の内部に設けられたマグネット５によって、金属製の取付盤６に設置される。
【００２０】
この取付盤６の上面には、その中央位置を示す、取付台４の取付指示マーク７が、直交する２本の線で形成されており、使用者は、この取付指示マーク７を目印にして、保持具本体１の取付台４を、取付盤６に設置する。
【００２１】
図２は、支台歯模型２を示す図で、この支台歯模型２は、例えば石膏で形成されている。
【００２２】
また、支台歯模型２の中央部は、模型台８で構成されており、この模型台８の上部には、支台歯９が形成されている。なお、この支台歯９の中部には、義歯と歯肉の接合線であるマージンライン１０が設けられている。
【００２３】
このマージンライン１０は、義歯を設計していくために重要なラインであるが、支台歯模型２自体は、もろい石膏で形成されているために、このマージンライン１０に触れることは避けなくてはならない。
【００２４】
また、模型台８の下部には、合計２本の金属製のダウエルピン１１が、下方に突出して設けられており、このダウエルピン１１を用いて、支台歯模型２を保持具本体１に保持することとなる。
【００２５】
図４は、保持具本体１の正面図で、取付台４には、この取付台４の中央部から上方に立設配置した取付球体１２が設けられており、この取付球体１２を挟んで、取付板１３、および取付板１４が、対向して立設されている。
【００２６】
また、取付板１４の取付板１３とは反対側には、取付板１５が設けられており、この取付板１５の取付板１４とは反対側に、取付板１６が設けられている。
【００２７】
図５、図６、図７を用いてさらに説明を続ける。
【００２８】
図５は、保持具本体１を、正面右方向から見た分解図であり、図６は、図５と反対側である、後面左方向から見た分解図である。また、図７は、保持具本体１の中央部の断面図である。
【００２９】
図５において、前記取付板１３は、三角形状の金属板体で、その下部には、取付板１４への引っかけ部１７が２本設けられており、その上部には、貫通孔１８が設けられている。
【００３０】
この取付板１３に対向して立設配置される取付板１４は、扇形状をした樹脂板であり、その下部の要の部分に取付球体保持穴１９を設けており、中央部には、取付板１３の貫通孔１８に向けて支柱２０が植設されている。
【００３１】
なお、取付板１４下部の取付板１３と反対側には、取付板１３の引っかけ部１７に対応する位置に、図６に示すごとく、取付穴２１を２個設けている。
【００３２】
そして、図５に示すごとく、取付板１４の取付球体保持穴１９に取付球体１２を当接させ、次に、取付板１３の引っかけ部１７を、取付球体１２の下方から通して、取付板１４の取付穴２１に引っかけて、取付板１３と取付板１４とを取付球体１２を挟んで対向配置する。
【００３３】
その後、挟持力調整ネジ２２の先端側に設けたネジ部２３を、取付板１３の貫通孔１８に通して、取付板１４の支柱２０へと螺合させると、図７に示すごとく、挟持力調整ネジ２２中部に設けた段部２４が、取付板１３と当接した状態となる。
【００３４】
ここで、挟持力調整ネジ２２のツマミ部２５を、取付板１３に向かって時計方向に捻ると、取付板１３は取付板１４に引きつけられ、三角形状の金属板体で構成された取付板１３の弾性によって、取付球体１２に対して、その挟持力が増した状態となり、取付板１３と取付板１４は、取付球体１２に、しっかりと固定される。
【００３５】
一方、挟持力調整ネジ２２のツマミ部２５を反時計方向に戻すと、取付板１３および取付板１４間の挟持力は減じられ、取付球体１２を基点として、取付板１３と取付板１４は一体となって動かすことができるようになり、取付板１４を、取付盤６に対して、自由な角度で配置することができる。
【００３６】
その後、もう一度、ツマミ部２５を時計方向に捻ると、取付球体１２に対して、その挟持力が増し、取付板１３と取付板１４は、取付球体１２に、再びしっかりと固定される。
【００３７】
図５に戻って説明を続ける。
【００３８】
扇形状の取付板１４および、同じく扇形状の取付板１５の対向面には、それぞれの扇面をほぼ覆った、ゴム製の挟みパット２６、２７を、それぞれ設けており、挟部２８を形成している。
【００３９】
なお、取付板１５は、取付板１４と同じく樹脂板となっている。
【００４０】
また、取付板１４と、取付板１５の水平方向の両端部には、挟部２８方向に、それぞれ２本ずつの支柱２９、３０を植設しており、これらに対応する位置に、支柱孔３１、３２が、それぞれ２個ずつ設けられており、図４に示すごとく、挟部２８を閉じた状態においては、取付板１５の支柱３０は、取付板１４の支柱孔３１を貫通して、取付板１３方向に、大きく飛び出した状態となる。
【００４１】
この状態で、図５に示す、金属板の押開取手３３の水平方向の両端部に設けた、ネジ孔３４を介して、ネジ３５を、図４に示すごとく、支柱３０に螺合させると、押開取手３３は、支柱３０を介して、取付板１５と一体化される。
【００４２】
一方、取付板１４の支柱２９は、取付板１５の支柱孔３２を貫通して、取付板１６方向に、大きく飛び出した状態となり、この状態で、図５に示す、樹脂板の取付板１６の水平方向の両端部に設けた、ネジ孔３６を介して、ネジ３７を、図４に示すごとく、支柱２９に螺合させると、取付板１６は、支柱２９を介して、取付板１４と一体化される。
【００４３】
図８は、図４の支柱２９、３０と、支柱孔３１、３２の組み合わせを説明するための断面図で、上述したごとく、取付板１４の支柱２９が、取付板１５の支柱孔３２を貫通しており、一方、取付板１５の支柱３０が、取付板１４の支柱孔３１を貫通した状態を示している。
【００４４】
この時、取付板１５の支柱孔３２は、取付板１４の支柱２９の貫通部の外径よりも大きな開口径としている。
【００４５】
また、取付板１４の支柱孔３１は、取付板１５の支柱３０の貫通部の外径よりも大きな開口径としている。
【００４６】
そのため、取付球体１２に固定された取付板１４に対し、取付板１５は自由に動くことができるものとなるので、取付板１４と取付板１５の間に形成される挟部２８の形状を自由に変化させることができる。
【００４７】
というのは、図２の支台歯模型２のダウエルピン１１には、その大きさ、長さ、形状において様々なものが存在し、例えば、図２においては、ダウエルピン１１の上部から下部にかけて、次第に細くなる形状で構成されているのであるが、そのような時においても、本実施形態においては、図９に示すごとく、挟部２８は、ダウエルピン１１の形状に合わせて変化し、ゴム製の挟みパット２６、２７でもって、しっかりと保持することができるものとなる。
【００４８】
また、取付板１５と取付板１６の間には、取付板１５を、取付板１４の方向に付勢する付勢体として、コイルバネ３８を配置している。
【００４９】
なお、図６に示すごとく、このコイルバネ３８は、取付板１５のほぼ中央部に、取付板１６側に向けて設けられた円筒突起３９と、図５に示すごとく、これに対向して取付板１６に設けられた円筒突起４０とによって保持されており、円筒カバー４１により、コイルバネ３８の外周が覆われる。
【００５０】
また、図１に示すごとく、取付板１４の上部には、取付板１３側を覆うカバー体４２を設けており、取付板１５の上部には、取付板１６側を覆うカバー体４３とを設けている。
【００５１】
これらカバー体４２、４３によって、たとえば支台歯模型２を測定する時には、図３に示すごとく、その上部に設けられた測定部３Ａから測定光が照射されるのであるが、保持具本体１の構成部品、より具体的には、取付球体１２、コイルバネ３８等を覆い隠すことができるものとなっている。
【００５２】
したがって、誤って、支台歯模型２以外の部品を測定することがなくなり、支台歯模型２の測定に集中することができるものとなる。
【００５３】
以上の構成において、以下、その使用時の動作について、図１を用いて説明する。
【００５４】
図１において、測定者は、保持具本体１を、例えば左手の親指と人差し指を用いて操作する。具体的には、左手の人差し指を取付板１６の外方側に当てた状態で、親指を押開取手３３の外方側に当てて、保持具本体１を、２本の指で挟み込んだ状態とする。
【００５５】
この状態では、人差し指を当てた取付板１６は、２本の支柱２９を介して取付板１４と一体化しており、この取付板１４は、取付球体１２に固定された状態となっている。
【００５６】
一方、親指を当てた押開取手３３は、２本の支柱３０を介して取付板１５に固定された状態となっており、この取付板１５は、図５のコイルバネ３８によって、挟部２８側に付勢された状態となっており、挟部２８は、閉じた状態となっている。
【００５７】
この挟部２８を閉じた状態から、親指を、押開取手３３を取付板１６側に押し込むと、押開取手３３に一体化された取付板１５も、コイルバネ３８に逆らって、取付板１６側に押し込まれ、その結果として、図１０に示すごとく、挟部２８が開いた状態となる。
【００５８】
この時、図２に示す、支台歯模型２の中央部にある模型台８を、その横方向から、例えば、右手の親指と人差し指を用いて持ち、その後、この模型台８下部に設けられたダウエルピン１１を、その下部から、開いた挟部２８に差し込み、その状態で、左手の力を緩めると、押開取手３３がコイルバネ３８によって押し戻され、図９に示すごとく、挟部２８がダウエルピン１１を挟み込んで、閉じることとなる。
【００５９】
なお、ダウエルピン１１は、挟部２８を形成するゴム製の挟みパット２６、２７によって挟み込まれているために、しっかりと固定されることとなる。
【００６０】
その結果として、支台歯模型２には、力を加えることなく、簡単に支台歯模型２を保持具本体１にセットすることができるものとなる。
【００６１】
従って、従来のように、誤って支台歯模型２の上部に設けられた支台歯９に触ることもなくなり、また、誤って支台歯９の中部に設けられたマージンライン１０に触ることもなくなるものとなる。
【００６２】
その結果として、支台歯模型２の破損リスクを低減することができるものとなる。
【００６３】
その後、支台歯模型２は、保持具本体１にセットされた状態で、図３に示すごとく、測定装置３の測定台４４に取りつけられ、測定が開始される。
【００６４】
この測定に際しては、保持具本体１の支台歯模型２に対して、真上から、測定部３Ａによって測定光が照射され、測定台４４が水平方向（図３のＸＹ方向）に移動しながら測定が行われる。
【００６５】
なお、この測定においては、上部の測定部３Ａから測定光が照射されるので、保持具本体１は、黒色系に処理することで、測定光の反射による測定ミスを抑制する対策が講じられている。
【００６６】
また、人の歯の形は千差万別であり、図２に示すごとく、正面側に向けて大きく突出した支台歯９も存在する。この支台歯９を、そのまま真上から測定すると、支台歯９には、測定部３Ａから見えない部分（アンダーカット部分）が発生し、その結果として、測定できない部分が発生してしまうことがある。
【００６７】
本実施形態においては、図１に示すごとく、挟部２８を構成している取付板１４および、取付板１５を扇形形状としており、この扇形形状に合わせて支台歯模型２の保持位置を変えることにより、支台歯９の保持角度を変えることができるようになっている。
【００６８】
また、上述したごとく、取付球体１２を基点として、取付板１３と取付板１４は一体となって動かすことができ、取付板１４は、取付盤６に対して、自由な角度に設定することができるため、図１１に示すごとく、保持具本体１を取付盤６に対して傾けた状態で、支台歯模型２の支台歯９を、真上に向けた状態にして、保持具本体１に取りつけることができ、アンダーカット部分を無くして、図１の測定装置３にセットすることができる。
【００６９】
また、図１１に示すごとく、支台歯模型２の支台歯９を、真上に向けようとして、保持具本体１を傾けた結果、支台歯９が、測定部３Ａの真下から外れてしまう時があるのであるが、その時においても、保持具本体１は、取付盤６に対して、取付台４内部のマグネット５によって設置されるものであるので、図３に示すごとく、取付盤６の取付指示マーク７を参照にして、簡単に測定部３Ａの真下に設置することができるものとなっている。
【００７０】
その結果として、本実施形態の保持具本体１は、様々な形の支台歯９に対応して、適切に測定することができるものとしつつ、支台歯模型２の破損リスクを低減することができるものとなる。
【産業上の利用可能性】
【００７１】
以上のように本発明は、取付台と、この取付台の中央部から上方に立設配置した取付球体と、この取付球体を挟んで対向立設配置させた第１、第２の取付板と、前記第２の取付板の前記第１の取付板とは反対側に設けた第３の取付板と、この第３の取付板の前記第２の取付板とは反対側に設けた第４の取付板とを備え、前記第１、第２の取付板には、前記取付球体に対する挟持力を調整する調整機構を設け、前記第２、第３の取付板間で、挟部を構成し、前記第３、第４の取付板間には、この第３の取付板を、前記第２の取付板方向に付勢する付勢体を設け、前記第２、第４の取付板を一体化するとともに、前記第２の取付板の前記第１の取付板側には、前記第３の取付板を第４の取付板側に押開く押開取手を設け、この押開取手は前記第３の取付板に一体化した構成としたものであるので、支台歯模型の破損リスクを低減することができる。
【００７２】
すなわち、本発明においては、取付台上の取付球体を第１、第２の取付板で挟み込んで第２の取付板を安定させており、この安定した第２の取付板に対して、この第２の取付板と第３の取付板とにより挟部を形成したものとなっている。そして、この挟部は、押開取手を操作して開くことが出来るので、この開いた挟部に支台歯模型を差し込み、その後、押開取手を放すと、第３、第４の取付板間に設けられた付勢体によって、第３の取付板が挟部方向に動き、この挟部が閉じられて、支台歯模型が挟部に固定されることとなる。
【００７３】
よって、支台歯模型に力を加えることなく、支台歯模型を保持具にセットすることができるものとなり、誤って支台歯模型のマージンラインに、指が接触することもなくなる。
【００７４】
その結果として、支台歯模型の破損リスクを低減することができるものとなる。
【００７５】
したがって、支台歯模型保持具として、広く活用が期待されるものである。
【符号の説明】
【００７６】
１  保持具本体
２  支台歯模型
３  測定装置
３Ａ  測定部
４  取付台
５  マグネット
６  取付盤
７  取付指示マーク
８  模型台
９  支台歯
１０  マージンライン
１１  ダウエルピン
１２  取付球体
１３、１４、１５、１６  取付板
１７  引っかけ部
１８  貫通孔
１９  取付球体保持穴
２０  支柱
２１  取付穴
２２  挟持力調整ネジ
２３  ネジ部
２４  段部
２５  ツマミ部
２６、２７  ゴム製の挟みパット
２８  挟部
２９、３０  支柱
３１、３２  支柱孔
３３  押開取手
３４  ネジ孔
３５  ネジ
３６  ネジ孔
３７  ネジ
３８  コイルバネ
３９  円筒突起
４０  円筒突起
４１  円筒カバー
４２  カバー体
４３  カバー体
４４  測定台
【図１】
2012075693.tif 000003
【図２】
2012075693.tif 000004
【図３】
2012075693.tif 000005
【図４】
2012075693.tif 000006
【図５】
2012075693.tif 000007
【図６】
2012075693.tif 000008
【図７】
2012075693.tif 000009
【図８】
2012075693.tif 000010
【図９】
2012075693.tif 000011
【図１０】
2012075693.tif 000012
【図１１】
2012075693.tif 000013